(57)【要約】【課題】無線通信システムにおいて、複数のＡＶ機器を接続した場合の誤動作を防ぐために各ＡＶ機器に専用の赤外線発光素子となるＬＥＤ（以下、赤外線ＬＥＤと呼ぶ。）が必要であり、赤外線ＬＥＤの配線と機器の設定が煩わしいという課題を有する。【解決手段】無線送信装置に接続される機器の設定を記憶する記憶手段と、前記記憶手段の情報と前記機器の制御信号を前記無線送信装置に送信する制御コード送信手段を有する無線受信装置を提供することにより、前記無線送信装置の赤外線ＬＥＤの数を前記無線送信装置に接続される機器の数より少なくする。【選択図】図１
2005341101.tif 000002
【特許請求の範囲】
【請求項１】
離れた場所にあるＡＶ機器の映像・音声信号を無線信号に変換して伝送し、且つ前記ＡＶ機器を制御できるリモートコントロール信号から変換された無線信号を受信して前記リモートコントロール信号に変換して前記ＡＶ機器に送信するＡＶ送信装置と、
前記ＡＶ送信装置から伝送されてきた無線信号を映像・音声信号に変換して視聴できるようにし、且つ前記ＡＶ機器のリモートコントロール信号を無線信号に変換して前記ＡＶ送信装置に送信する受信表示装置から構成されるテレビジョンにおいて、
前記ＡＶ機器の誤動作を防止するために前記ＡＶ送信装置から送信される前記ＡＶ機器のリモートコントロール信号を抑止する誤動作防止手段を前記受信表示装置側に備えた無線受信装置。
【請求項２】
複数のＡＶ機器からの入力を切り換えるＡＶ入力切換手段と、
前記ＡＶ切換手段より与えられる映像信号と音声信号を無線信号として送信する映像・音声信号送信手段と、
前記ＡＶ機器を制御するための制御コードから変換された無線信号を受信して、前記ＡＶ機器の赤外線リモートコントロール信号に変換する制御コード受信手段と、
前記赤外線リモートコントロール信号を前記ＡＶ機器に送信する発光手段から構成されるＡＶ送信装置と、
前記映像・音声信号送信手段から送信された無線信号を受信して映像信号と音声信号を出力する映像・音声信号受信手段と、
前記ＡＶ入力切換手段における入力ごとの前記ＡＶ機器の情報を記憶する記憶設定手段と、
赤外線リモートコントロール信号を受信して制御コードに変換するリモコン受光手段と、
前記リモコン受光手段で変換された前記制御コードに前記記憶設定手段から視聴中の前記ＡＶ機器の情報を付加して無線信号として送信する制御コード送信手段を有する受信表示装置において、
前記受信表示装置から視聴中の前記ＡＶ機器の制御コードだけを前記ＡＶ送信装置に送信することにより他の前記ＡＶ機器の誤動作を防止することを特徴とする無線受信装置。
【発明の詳細な説明】
【技術分野】
【０００１】
本発明は、ＡＶ機器のソースを無線信号で伝送する無線受信装置に関するものである。
【背景技術】
【０００２】
近年、有線接続の煩雑さと無線技術の発達により、チューナー、ビデオ、ＤＶＤなどのＡＶソース機器からディスプレイなどの再生装置に対してＡＶデータを送信して、再生装置において映像や音声を再生するようなＡＶデータ用の無線通信システムが提供されている（特許文献１参照）。
【０００３】
従来の無線通信システムを図４に示す。図４において、ＡＶデータ受信装置４０４はディスプレイ４０１で受信された制御信号を電気信号としてディスプレイ４０１から与えられる。ＡＶデータ送信装置４０６は、ＡＶソース機器４０７〜４１０のそれぞれに設けられた受光部４１１〜４１４のそれぞれに赤外線信号を送信するための発光部４１５〜４１８を備える。このような無線通信システムにおいて、図５のように、ディスプレイ４０１の受光部５０１において赤外線信号が受信され、この受信された赤外線信号がＡＶデータ受信装置４０４の制御部５０３に与えられる。又、ＡＶデータ送信装置４０６は、発光部４１５〜４１８より赤外線信号を送信するためのものを選択する発光部切換部５０９を有し、この発光部切換部５０９は制御部５０７によって制御される。
【０００４】
リモコン４０２から赤外線信号が送信されると、ディスプレイ４０１の受光部５０１で赤外線信号が受信される。そして、ディスプレイ４０１において、受信された赤外線信号がディスプレイ４０１を制御するための信号であるか否かが確認される。このとき、ディスプレイ４０１を制御するための信号である場合、その信号に従って、ディスプレイの電源のＯＮ／ＯＦＦ又は音量の変更が行われる。ディスプレイ４０１で受信した赤外線信号が、ディスプレイ４０１を制御するための信号でない場合、この制御信号を電気信号に変換して、ＡＶデータ受信装置４０４に出力する。ＡＶデータ受信装置４０４では、ディスプレイ４０１より与えられた電気信号より制御信号を制御部５０３で確認し、データ通信部３５を制御して、この制御信号に基づいた無線信号を生成して、アンテナ４０３を介して送信する。
【０００５】
ＡＶデータ送信装置４０６では、発光部切換部５０９によって入力機器番号に応じたＡＶソース機器に対して赤外線信号を送信する発光部を発光部４１５〜４１８より選択する。そして、制御部５０７で確認された制御信号が発光部切換部５０９を介して、選択された発光部に与えられ、発光部より赤外線信号が送信される。
【特許文献１】特開２００３−１７９７７４号公報
【発明の開示】
【発明が解決しようとする課題】
【０００６】
しかしながら、従来の無線通信システムにおいて、複数のＡＶ機器を接続した場合の誤動作を防ぐために各ＡＶ機器に専用の赤外線発光素子となるＬＥＤ（以下、赤外線ＬＥＤと呼ぶ。）が必要であり、赤外線ＬＥＤの配線と機器の設定が煩わしいという課題を有していた。
【課題を解決するための手段】
【０００７】
本願第一の発明の無線受信装置は、離れた場所にあるＡＶ機器の映像・音声信号を無線信号に変換して伝送し、且つ前記ＡＶ機器を制御できるリモートコントロール信号から変換された無線信号を受信して前記リモートコントロール信号に変換して前記ＡＶ機器に送信するＡＶ送信装置と、前記ＡＶ送信装置から伝送されてきた無線信号を映像・音声信号に変換して視聴可能にし、且つ前記ＡＶ機器のリモートコントロール信号を無線信号に変換して前記ＡＶ送信装置に送信する受信表示装置から構成されるテレビジョンにおいて、前記ＡＶ機器の誤動作を防止するために前記ＡＶ送信装置から送信される前記ＡＶ機器のリモートコントロール信号を抑止する誤動作防止手段を前記受信表示装置側に備えたものである。
【０００８】
本願第二の発明の無線受信装置は、複数のＡＶ機器からの入力を切り換えるＡＶ入力切換部と、前記ＡＶ切換部より与えられる映像信号と音声信号を無線信号として送信する映像・音声信号送信部と、前記ＡＶ機器を制御するための制御コードから変換された無線信号を受信して、前記ＡＶ機器の赤外線リモートコントロール信号に変換する制御コード受信部と、前記赤外線リモートコントロール信号を前記ＡＶ機器に送信する発光部から構成されるＡＶ送信装置と、前記映像・音声信号送信部から送信された無線信号を受信して映像信号と音声信号を出力する映像・音声信号受信部と、前記ＡＶ入力切換部における入力ごとの前記ＡＶ機器の情報を記憶する記憶設定部と、赤外線リモートコントロール信号を受信して制御コードに変換するリモコン受光部と、前記リモコン受光部で変換された前記制御コードに前記記憶設定部から視聴中の前記ＡＶ機器の情報を付加して無線信号として送信する制御コード送信部を有する受信表示装置において、前記受信表示装置から視聴中の前記ＡＶ機器の制御コードだけを前記ＡＶ送信装置に送信することにより他の前記ＡＶ機器の誤動作を防止するものである。
【発明の効果】
【０００９】
本願発明の無線受信装置によれば、無線送信装置に接続される機器の設定を記憶する記憶手段と前記記憶手段の情報と前記機器の制御信号を前記無線送信装置に送信する制御コード送信手段を有することにより、無線送信装置に発光部切換部５０９が不要となり、各機器に専用の赤外線ＬＥＤがなくても誤動作なく制御できる。
【００１０】
また、本願発明の無線送信装置によれば、ＡＶ機器の数以下の数の赤外線ＬＥＤで、誤動作することなく離れた場所にあるＡＶ機器を制御することができる。
【発明を実施するための最良の形態】
【００１１】
以下本発明を実施するための最良の形態について、図面を参照しながら説明する。
【００１２】
（実施の形態１）
図１は、本発明の実施形態における無線テレビジョン受信機の構成を示す概観図である。図１において、ＡＶ送信装置１０１は、無線アンテナ１０２とＡＶ機器１０３〜１０５に赤外線リモートコントロール信号を発生させＡＶ機器１０３〜１０５を制御する発光手段１０６を有し、ＡＶ機器１０３〜１０５が接続されている。
【００１３】
また、受信表示装置１０７は、赤外線リモートコントロール信号を受信して制御コードに変換するリモコン受光手段１０８と、無線アンテナ１０９を有し、リモコン発信機１１０はＡＶ送信装置１０１と受信表示装置１０７とＡＶ機器１０３〜１０５を制御するための赤外線リモートコントロール信号を発信するである。
【００１４】
図２は本発明の実施形態における無線テレビジョン受信機の構成を示すブロック図である。図２において、チューナー選局手段２０４はテレビ放送を選局し、ＡＶ入力切換手段２０１はＡＶ送信装置１に接続されている複数のＡＶ機器１０３〜１０５及びチューナー選局手段２０４のソースを切り換え、制御コード受信手段２０２はＡＶ切換手段２０１から出力される映像と音声信号を無線信号に変換する映像・音声送信手段、２０３は無線アンテナ１０２から受信された制御コードがチューナー選局手段２０４かＡＶ入力切換手段２０１に対するコードであれば各手段の設定処理を行いＡＶ機器１０３〜１０５に対するコードであれば赤外線ＬＥＤ信号に変換し、映像・音声信号受信手段２０５は無線アンテナ１０９から受信した無線信号を映像・音声信号に変換し、記憶手段２０７はＡＶ送信装置１０１に接続されている入力ごとのＡＶ機器の情報を自由に設定することができ、制御コード送信手段２０６はリモコン受光手段１１０から入力された制御コードのうちＡＶ送信装置１にあるチューナー選局手段２０４とＡＶ入力切換手段２０１及びＡＶ機器１０３〜１０５の制御信号のみを制御コードに記憶手段２０７から取り出したＡＶ機器の情報を付加して制御コード受信手段２０３に送信し、液晶パネル２０９は映像・音声信号受信手段２０５から出力される映像信号を表示し、音声アンプ２０８は映像・音声信号受信手段２０５から出力された音声信号を増幅し、スピーカー２１０は音声アンプ２０８の出力が接続されている。
【００１５】
本実施の形態での動作について図２を用いて説明する。ＡＶ送信装置１０１にあるＡＶ入力切換手段２０１においてＡＶ機器１０３〜１０５及びチューナー選局手段２０４から視聴する映像・音声信号を選択し、映像・音声信号送信手段２０２で無線信号に変換されて無線アンテナ１０２から送信される。前記送信された信号は無線アンテナ１０９から映像・音声受信手段２０５に入り無線信号から映像・音声信号に変換されて映像信号は液晶パネル２０９から出力され、音声信号は音声アンプ２０８を経由してスピーカー２１０から出力されることにより受信表示装置２０６にて視聴することができる。
【００１６】
また、リモコン送信機１１０から受信表示装置１０７に向けてチャンネル切換、入力切換及びＡＶ機器への操作をするとリモコン受光手段１１０にリモコン信号が受信されて変換された制御コードが、制御コード送信手段２０６に入り、記憶手段２０７から取り出したＡＶ機器の情報を制御コードに付加して無線信号に変換し、無線アンテナ１０９から無線アンテナ１０２へ無線転送されて制御コード受信手段２０３に送られる。制御コード受信手段２０３では無線信号を制御コードに変換する。チャンネル選局コードの場合はチューナー選局手段２０４に対して設定要求を出して選局チャンネルを切り換え、入力切換コードの場合はＡＶ入力切換手段２０１に対して設定要求を出して映像・音声信号の切り換えを行なう。
【００１７】
また、制御コード受信手段２０３で変換された制御コードがＡＶ機器１０３〜１０５のコードの場合は制御コード送信手段２０６から送信されてきた制御コードとＡＶ機器の情報から対象ＡＶ機器の赤外線リモートコントロール信号に変換されて発光手段１０６から赤外線リモコン信号としてＡＶ機器１０３〜１０５に対して送信される。
【００１８】
ここで、制御コード送信手段２０６の動作について図３を用いて説明する。制御コード送信処理（Ｓ３０１）において、まずリモコンコードが受信されたかどうかの判定を行い（Ｓ３０２）、リモコン受光手段１０８にリモコン信号が入力されると次のステップに進みＡＶ機器制御用のコードであるかどうかの判定を行なう（Ｓ３０３）。ＡＶ機器用のコードでない場合については、ＡＶ入力切換用のコードであるか（Ｓ３０４）チューナー選局用のコードであるか（Ｓ３０５）を判定してどちらかのコードである場合は制御コード受信手段２０３に対して制御コードを送信する（Ｓ３０８）が、どちらでもない場合は制御コード受信手段２０３に対して制御コードを一切送信せず処理を終了する。また制御コードがＡＶ機器制御用の場合については現在視聴中のＡＶ機器に対する制御かどうかの判定を行い（Ｓ３０６）、視聴中のＡＶ機器に対するコードであれば制御コード受信手段２０３に対して記憶手段２０７から読み出したＡＶ機器の情報を付加（Ｓ３０７）した制御コードを送信してＡＶ機器の制御ができるが、視聴中のＡＶ機器でない場合は制御コード受信手段２０３に対して制御コードを一切送信せず処理を終了する。
【００１９】
したがって、ＡＶ機器の制御については現在視聴中のＡＶ機器の制御コードしかＡＶ送信装置側の制御コード受信手段２０３に送信されないようになっているため、視聴中以外のＡＶ機器の制御コードが送信されることがなく誤動作することはない。
【００２０】
かかる構成によれば、無線送信装置に接続される機器の設定を記憶する記憶手段と前記記憶手段の情報と前記機器の制御信号を前記無線送信装置に送信する制御コード送信手段を有することにより、発光部切換部５０９が不要となり、各機器に専用の赤外線ＬＥＤがなくても誤動作なく制御できる。また、ＡＶ機器より少ない数の赤外線ＬＥＤで、誤動作することなく離れた場所にあるＡＶ機器を制御することができる。
【００２１】
なお、当実施の形態において発光手段１０６の赤外線ＬＥＤの数は、１個であるが複数でもよく、全てのＡＶ機器にリモコンコードが届く程度の個数でよい。そして、赤外線ＬＥＤが複数個ある場合についても全て同じ信号を出力する。
【００２２】
また、本実施の形態では、無線テレビジョン受信機の例を挙げたが、映像を受信し表示させる機器であればなんでもよい。
【産業上の利用可能性】
【００２３】
本発明にかかる無線受信装置は、無線通信システムにおいて、無線送信装置に接続されるＡＶ制御機器より少ない赤外線ＬＥＤの数で誤動作なくＡＶ機器を制御することができて無線装置等に有用である。
【図面の簡単な説明】
【００２４】
【図１】本発明の実施形態１の構成を示す図
【図２】本発明の実施形態１の構成を示すブロック図
【図３】制御コード送信部における詳細動作を示すフローチャート
【図４】従来の無線システムの構成を示す図
【図５】従来の無線システムの構成を示すブロック図
【符号の説明】
【００２５】
１０１    ＡＶ送信装置
１０２    無線アンテナ
１０３    ＡＶ機器１
１０４    ＡＶ機器２
１０５    ＡＶ機器３
１０６    発光手段
１０７    受信表示装置
１０８    リモコン受光手段
１０９    無線アンテナ
１１０    リモコン発信機
２０１    ＡＶ入力切換手段
２０２    映像・音声信号送信手段
２０３    制御コード受信手段
２０４    チューナー選局手段
２０５    映像・音声信号受信手段
２０６    制御コード送信手段
２０７    記憶手段
２０８    音声アンプ
２０９    液晶パネル
２１０    スピーカー
４０１    ディスプレイ
４０２    リモコン
４０３    アンテナ
４０４    ＡＶデータ受信装置
４０５    アンテナ
４０６    ＡＶデータ送信装置
４０７    ＡＶソース機器
４０８    ＡＶソース機器
４０９    ＡＶソース機器
４１０    ＡＶソース機器
４１１    受光部
４１２    受光部
４１３    受光部
４１４    受光部
４１５    発光部
４１６    発光部
４１７    発光部
４１８    発光部
５０１    受光部
５０２    ＡＶデータ受信部
５０３    制御部
５０４    データ通信部
５０５    ＡＶデータ送信部
５０６    ＡＶデータ切換部
５０７    制御部
５０８    データ通信部
５０９    発光部切換部
【図１】
2005341101.tif 000003
【図２】
2005341101.tif 000004
【図３】
2005341101.tif 000005
【図４】
2005341101.tif 000006
【図５】
2005341101.tif 000007